(57)【要約】【課題】操作キー相互間や操作キーとケース開口部との位置合わせを不要にして組立作業性の向上を図ると共に、操作キーの操作時における感触からフワフワ感をなくす。【解決手段】操作キー３が水平および垂直方向において位置決めされる複数のキー嵌合孔１１が整列された複数の保持部材１０と、操作キー群２が水平および垂直方向において位置決めされる複数のキー群嵌合孔３３が配列された受圧保持板３０と、操作キー３の取付け部位９が取付け可能な取付け部が形成されたプリント配線板２０とから構成され、保持部材１０は受圧保持板３０とプリント配線板２０との間に配置され、かつ受圧保持板３０は操作キー３に加わる押圧力を、保持部材１０を介して受圧可能に構成する。【選択図】　図２
2004054407.tif 000002
【特許請求の範囲】
【請求項１】
２つ以上の操作キーから形成される複数の操作キー群と、
前記操作キーが水平および垂直方向において位置決めされる複数のキー嵌合孔が整列された複数の保持部材と、
前記操作キー群が水平および垂直方向において位置決めされる複数のキー群嵌合孔が配列された受圧保持板と、
前記操作キーの取付け部位が取付け可能な取付け部が形成されたプリント配線板とから構成され、
前記保持部材は前記受圧保持板と前記プリント配線板との間に配置されて前記受圧保持板と前記プリント配線板との双方に固定可能に、かつ前記プリント配線板は前記受圧保持板に固定可能に構成されていると共に、前記受圧保持板は前記操作キーに加わる押圧力を、前記保持部材を介して受圧可能に構成されていることを特徴とする電子装置の操作キー取付け構造。
【請求項２】
前記保持部材は第１および第２突部を有し、前記第１突部は前記受圧保持板に形成された取付け孔に嵌合可能に構成され、かつ第２突部は前記プリント配線板に形成された取付け孔に嵌合可能に構成されていることを特徴とする請求項１記載の電子装置の操作キー取付け構造。
【請求項３】
前記第１突部は前記受圧保持板に形成された取付け孔に嵌合可能な略Ｌ字状の爪部から構成され、また前記第２突部は前記プリント配線板に形成された取付け孔に嵌合可能な略Ｌ字状の爪部から構成され、かつ前記それぞれの爪部の前記取付け孔からの突出部は、前記取付け孔から抜け出し防止可能に捻れ可能に形成されていることを特徴する請求項２記載の電子装置の操作キー取付け構造。
【請求項４】
前記キー操作群と、前記保持部材と、前記受圧保持板と、前記プリント配線板とから構成されるキーユニットが収納可能なケースを有し、
前記ケースの上部を形成する上部ケースは、前記操作キー群の操作部分が突出可能な開口部と、前記受圧保持板を取り付けるための取付け手段とを有し、かつ前記ケースの下部を形成する下部ケースは、取付け手段を介して前記上部ケースに取付け可能に構成されていることを特徴とする請求項１、２又は３記載の電子装置の操作キー取付け構造。
【発明の詳細な説明】
【０００１】
【発明の属する技術分野】
本発明はパソコン等の電子装置の操作キー取付け構造に関する。
【０００２】
【従来の技術】
電子装置の操作卓に搭載されるプリント配線板には、使用者が操作する操作キーの端子がハンダ付けされている。操作キーには操作時に、使用者による押圧力が加えられる。この押圧力は操作キーの端子に加わるため、ハンダ付け部分が破損するおそれがある。
【０００３】
そこで、このような破損を防ぐため、操作キーに加えられる押圧力を分散させる保持金具を設けて、この保持金具に操作キーを取付け、プリント配線板と保持金具とで操作キーを挟み込むようにして操作キーを固定した後、操作キーの端子をプリント配線板へハンダ付けしていた。
【０００４】
【発明が解決しようとする課題】
保持金具として、複数の操作キーから形成される操作キー群毎に独立した保持金具を使用した場合、操作卓盤面に形成された操作キー挿通用の開口部と保持金具に保持された操作キーとの相対的な位置関係を合わせることは非常に困難な作業になる。
【０００５】
これを回避すべく、開口部と保持金具に保持された操作キーとの相対的な位置関係を保持しようと、操作キー全体を一体的に固定する保持金具を使用した場合、保守部品である操作キーを交換する際、すべての操作キーのハンダ付けをプリント配線板から取り外す必要があり、非常に困難な作業となる。
【０００６】
また、プリント配線板は平面度においてバラツキがあり、なかには湾曲しているものもある。このようなプリント配線板に操作キーを実装した場合、盤面から突出する操作キーの操作部分を形成するボタンの高さがばらついて面位置が揃わない場合もある。このような場合、組立中に調整作業を行わなければ、外観品質を確保できない等の問題があった。
【０００７】
本発明は、上記問題点に着目してなされたもので、その目的とするところは、保持部材に保持された操作キー群を保持する受圧保持板を設けることによって、操作キーの位置調整を不要にして組立作業性の向上を図ると共に、操作キーの操作時における感触からフワフワ感を除去可能な電子装置の操作キー取付け構造を提供することにある。
【０００８】
【課題を解決するための手段】
上記目的を達成するため、本発明は、２つ以上の操作キーから形成される複数の操作キー群と、前記操作キーが水平および垂直方向において位置決めされる複数のキー嵌合孔が整列された複数の保持部材と、前記操作キー群が水平および垂直方向において位置決めされる複数のキー群嵌合孔が配列された受圧保持板と、前記操作キーの取付け部位が取付け可能な取付け部が形成されたプリント配線板とから構成され、前記保持部材は前記受圧保持板と前記プリント配線板との間に配置されて前記受圧保持板と前記プリント配線板との双方に固定可能に、かつ前記プリント配線板は前記受圧保持板に固定可能に構成されていると共に、前記受圧保持板は前記操作キーに加わる押圧力を、前記保持部材を介して受圧可能に構成されている。
【０００９】
従って、本発明は、各操作キーを保持部材のキー嵌合孔に嵌合させることで個々の操作キー相互間の位置決めがなされることにより各操作キー群が整列され、また各操作キー群を受圧保持板のキー群嵌合孔に嵌合させることで操作キー群相互間の位置決めがなされる。このため組立作業時に操作キー相互の位置関係や操作キーと他部品との位置関係の調整を行う必要がなく、よって組立作業性の向上が図れる。また、操作キーの位置決めは水平方向のみならず垂直方向においてもなされるため、プリント配線板の板面が湾曲している場合においても操作キーの高さが上下方向においてバラツクことがなく、上記と相まってさらに組立性が向上する。さらに、保持部材は複数に分割されて個々に独立しているため、保守作業において操作キーを交換する際、従来のようにプリント配線板からすべての操作キーのハンダを取り外す必要がなく、よって保守作業性が向上する。さらにまた、操作キーに加わる押圧力は受圧保持板に受圧されるから、操作キーを押した場合の感触からフワフワ感をなくすことができる。
【００１０】
また、本発明は、前記保持部材は第１および第２突部を有し、前記第１突部は前記受圧保持板に形成された取付け孔に嵌合可能に構成され、かつ第２突部は前記プリント配線板に形成された取付け孔に嵌合可能に構成することや、前記第１突部は前記受圧保持板に形成された取付け孔に嵌合可能な略Ｌ字状の爪部から構成され、また前記第２突部は前記プリント配線板に形成された取付け孔に嵌合可能な略Ｌ字状の爪部から構成され、かつ前記それぞれの爪部の前記取付け孔からの突出部は、前記取付け孔から抜け出し防止可能に捻れ可能に形成することが考えられる。
【００１１】
従って、本発明は、保持部材を受圧保持板およびプリント配線板に固定させるための第１および第２突部は捻れ可能に形成されているから、保持部材を受圧保持板およびプリント配線板に固定させるためのネジやスペーサ等が不要になり、よって部品点数の低減化が図れ作業性が向上する。
【００１２】
さらに、本発明は、前記キー操作群と、前記保持部材と、前記受圧保持板と、前記プリント配線板とから構成されるキーユニットが収納可能なケースを有し、前記ケースの上部を形成する上部ケースは、前記操作キー群の操作部分が突出可能な開口部と、前記受圧保持板を取り付けるための取付け手段とを有し、かつ前記ケースの下部を形成する下部ケースは、取付け手段を介して前記上部ケースに取付け可能に構成することが考えられる。
【００１３】
従って、本発明は、キーユニットをケースに収納するに際して、両者相互間の位置調整をする必要がなく、上記と相まってさらなる組立の向上を期することができる。
【００１４】
【発明の実施の形態】
以下、本発明に係る電子装置の操作キー取付け構造の実施形態を、図面を参照しながら説明する。
【００１５】
図１において，１はキーユニット、４０はキーユニット１が収納されるケースのうち上部側の上部ケース、５０は下部ケースである。以下、これらについて順次説明する。
【００１６】
図２はキーユニット１の分解斜視図を示す。キーユニット１の構成要素の１つである操作キー群２の各々は、２つ以上の操作キー３が縦横に配列されて形成されたものである。
【００１７】
図３に示すように、操作キー３は、使用者が操作するボタン４と、ボタン４から下方へ突出する四角柱状の嵌合部５とから形成されている。この嵌合部５の上方部における前後（ケースの前後方向を前後とする。）の幅は下方部よりも大に形成されて載置段部６に形成されている。
【００１８】
一方、嵌合部５の左右両面には、下面閉塞かつ上面開口の縦溝７が形成され、かつ縦溝７の下面からは弾性片８が外方へやや傾斜状態で起立している。また、嵌合部５の下面からは４本の端子９が突出している。
【００１９】
図２において、１０は保持金具から構成される保持部材で、図４および図５にも示すように、操作キー３が嵌合される嵌合孔１１を有している。
【００２０】
保持部材１０は操作キー群２の配列に対応して操作キー群２の数とほぼ同数だけ設けられている。これら保持部材１０の前後両側端は下方に屈曲されて折曲部１２、１２を形成する。
【００２１】
これら折曲部１２、１２のうち前方に位置する折曲部１２の左右両部からは、後述するプリント配線板２０に取り付けるためのＬ字状の第１取付け爪部１３、１３が垂下されている。
【００２２】
また、保持部材１０の前後方向中間部ないし後部における左右両側面からは、後述する受圧保持板３０に取り付けるための逆向きＬ字状の第２取付け爪部１４、１４が起立している。
【００２３】
図２において、２０はプリント配線板で、図６にも示すように、その前部には、操作キー群２を実装するための操作キー実装部２１が、操作キー群２の数に対応して設けられている。
【００２４】
それぞれの操作キー実装部２１には、操作キー３の端子９が挿通される端子挿通孔２２が形成されている。端子９は端子挿通孔２２に挿通された後、プリント配線板２０にハンダ付けされる。
【００２５】
また、プリント配線板２０の前部における適宜の位置には、各保持部材１０に形成された第１取付け爪部１３、１３が挿通される取付け孔２３が形成されている。
【００２６】
さらに、プリント配線板２０の前部における適宜の位置にはネジ挿通孔２４が形成されている。これらネジ挿通孔２４は、プリント配線板２０と後述する受圧保持板３０との間に配置するネジ孔付き支柱に螺合させる図示しないネジを通すためのもので、これら支柱とネジとによって受圧保持板３０がプリント配線板２０に固定される。
【００２７】
一方、プリント配線板２０の後端部には外部装置と電気的に接続されるコネクタ２５が、また、操作キー実装部２１とコネクタ２５との間のプリント配線板２０部分の左右両部には電子回路を形成するための電子部品２６が、それぞれ配置されている。
【００２８】
図２において、３０は受圧保持板で、図７にも示すように、比較的薄い矩形状の板体３１における前後左右の各側端部を上方に屈曲して屈曲部３２を形成することにより板体３１の強度を高めている。
【００２９】
板体３１には、操作キー群２のそれぞれにおける載置段部６が嵌合される嵌合孔３３が形成されていると共に、それぞれの保持部材１０に形成された第２取付け爪部１４、１４が嵌合される取付け孔３４が形成されている。
【００３０】
また、板体３１の適宜の位置にはネジ挿通孔３５が形成されている。これらネジ挿通孔３５は、前述の図示しないネジ孔付き支柱を介してプリント配線板２０を板体３１に固定するネジを通すためのもので、これら支柱とネジとによって板体３１をプリント配線板２０に固定する。
【００３１】
さらに、板体３１には、後述する上部ケース４０に形成されたネジ座４３に螺合させる図示しない止めネジを通す通し孔３６と、プリント配線板２０に設けられた電子部品２６の挿入孔３７とが形成されている。
【００３２】
図１において、４０は上部ケースで、図８および図９にも示すように、上部ケース本体４１における操作部４１ａには、各操作キー群２のボタン４が突出する開口部４２が形成されている。
【００３３】
また、操作部４１ａの裏面の４隅には、受圧保持板３０の通し孔３６から挿通される図示しない止めネジが螺合されるネジ座４３が突設されている。さらに、上部ケース本体４１の後端から垂下する後壁４４には、後述する下部ケース５０の係合孔５２に嵌合される引掛け爪４５が前方に突設されている。
【００３４】
一方、上部ケース本体４１の前端から垂下する前壁４６には、後述する下部ケース５０の前壁５３に突設されたネジ孔付きボス５４に螺合させる図示しないネジを通す透孔４７が形成されている。なお、上部ケース本体４１の前部には、諸情報が表示される表示部４８が設けられている。
【００３５】
図１において、５０は下部ケースで、図１０にも示すように、下部ケース本体５１の後側端部には、上部ケース４０の引掛け爪４５が係合される係合孔５２が形成されている。
【００３６】
また、下部ケース本体５１の前端から垂下する前壁５３には、上部ケース本体４１の前壁４６に形成された透孔４７から挿通される図示しないネジを螺合させるネジ孔付きボス５４が形成されている。
【００３７】
次に、上記構成に係る電子装置の操作キー取付け構造の組立て手順について説明する。まず、図１１および図１２に示すように、それぞれの操作キー群２に対応する保持部材１０の嵌合孔１１に操作キー３の嵌合部５を保持部材１０の上方から嵌合させる。
【００３８】
すると、図１２に示すように、各操作キー３の載置段部６の下面が嵌合孔１１の外周部に係合して載置されると共に、各操作キー３の左右両側面に形成された弾性片８が嵌合孔１１の左右両側面に係合して内方へ弾性変形されるため、操作キー３の嵌合孔１１に対する嵌合がより強固になると共に、これによって個々の操作キー３の相互間における位置決めが達成される。
【００３９】
次いで、保持部材１０の第１取付け爪１３をプリント配線板２０の取付け孔２３へ挿通させて嵌合させると共に、操作キー３の端子９を端子挿通孔２２へ挿通させる。
【００４０】
続いて、操作キー３のボタン４が受圧保持板３０の嵌合孔３３から突出するように、保持部材１０の第２取付け爪１４を受圧保持板３０の取付け孔３４へ挿通させて嵌合させる。
【００４１】
次いで、図示しないネジ孔付き支柱をプリント配線板２０と受圧保持板３０との間に配置し、ネジ挿通孔３５から図示しないネジを支柱に螺合させ、そのネジの先端部をネジ挿通孔２４から突出させてナットで締め付ける。
【００４２】
その際、操作キー群２の左右両側面における弾性片８が嵌合孔３３の左右両側面に係合することで、操作キー群２相互間の位置決めが達成される。その後、プリント配線板２０の裏面から操作キー３の端子９をハンダ付けする。
【００４３】
なお、上記では図示しないネジ孔付き支柱とネジとを用いてプリント配線板２０と受圧保持板３０とを相互に固定しているが、これに限らずＬ字状の第１および第２取付け爪部１３、１４の水平部分１３ａ、１４ａを捻ることによって固定させることも可能である。
【００４４】
上記の手順により、操作キー群２、保持部材１０、プリント配線板２０および受圧保持板３０を一体的にユニット化してキーユニット１に形成した後、キーユニット１を上部ケース４０に嵌め込んで操作キー３のボタン４を開口部４２から突出させる。
【００４５】
次いで、ユニット受圧保持板３０の固定孔３６から図示しないネジを挿通して、上部ケース４０のネジ座４３に螺合させることで、キーユニット１を上部ケース４０に固定する。
【００４６】
最後に、上部ケース４０の引掛け爪４５を下部ケース５０の係合孔５２に嵌合させた後、上部ケース４０の透孔４７から図示しないネジを挿通して下部ケース５０のネジ孔付きボス５４に螺合させることで下部ケース５０を上部ケース４０に取り付ける。
【００４７】
【発明の効果】
本発明は、２つ以上の操作キーから形成される複数の操作キー群と、前記操作キーが水平および垂直方向において位置決めされる複数のキー嵌合孔が整列された複数の保持部材と、前記操作キー群が水平および垂直方向において位置決めされる複数のキー群嵌合孔が配列された受圧保持板と、前記操作キーの取付け部位が取付け可能な取付け部が形成されたプリント配線板とから構成され、前記保持部材は前記受圧保持板と前記プリント配線板との間に配置されて前記受圧保持板と前記プリント配線板との双方に固定可能に、かつ前記プリント配線板は前記受圧保持板に固定可能に構成されていると共に、前記受圧保持板は前記操作キーに加わる押圧力を、前記保持部材を介して受圧可能に構成されていることから次のような効果を奏する。
【００４８】
各操作キーを保持部材のキー嵌合孔に嵌合させることで個々の操作キー相互間の位置決めがなされることにより各操作キー群が整列され、また各操作キー群を受圧保持板のキー群嵌合孔に嵌合させることで操作キー群相互間の位置決めがなされる。このため組立作業時に操作キー相互の位置関係や操作キーと他部品との位置関係の調整を行う必要がなく、よって組立作業性の向上が図れる。
【００４９】
また、操作キーの位置決めは水平方向のみならず垂直方向においてもなされるため、プリント配線板の板面が湾曲している場合においても操作キーの高さが上下方向においてバラツクことがなく、上記と相まってさらに組立性が向上する。
【００５０】
さらに、保持部材は複数に分割されて個々に独立しているため、保守作業において操作キーを交換する際、従来のようにプリント配線板からすべての操作キーのハンダを取り外す必要がなく、よって保守作業性が向上する。
【００５１】
さらにまた、操作キーに加わる押圧力は受圧保持板に受圧されるから、操作キーを押した場合の感触からフワフワ感をなくすことができる。
【図面の簡単な説明】
【図１】本発明に係る電子装置の操作キー取付け構造の分解斜視図である。
【図２】同じく、キーユニットの分解斜視図である。
【図３】同じく、操作キーの斜視図である。
【図４】同じく、１つの保持部材の斜視図である。
【図５】同じく、保持部材全体を示す斜視図である。
【図６】同じく、プリント配線板の斜視図である。
【図７】同じく、受圧保持板の斜視図である。
【図８】同じく、上部ケースの斜視図である。
【図９】同じく、上部ケースを下方から見た斜視図である。
【図１０】同じく、下部ケースの斜視図である。
【図１１】同じく、組立手順を示す斜視図である。
【図１２】同じく、キーユニットの縦断面図である。
【符号の説明】
１　キーユニット
２　操作キー群
３　操作キー
９　操作キーの端子
１０　保持部材
１３　第１取付け爪部
１４　第２取付け爪部
２０　プリント配線板
２３、３４　取付け孔
４０　上部ケース
４２　開口部
５０　下部ケース
【図１】
2004054407.tif 000003
【図２】
2004054407.tif 000004
【図３】
2004054407.tif 000005
【図４】
2004054407.tif 000006
【図５】
2004054407.tif 000007
【図６】
2004054407.tif 000008
【図７】
2004054407.tif 000009
【図８】
2004054407.tif 000010
【図９】
2004054407.tif 000011
【図１０】
2004054407.tif 000012
【図１１】
2004054407.tif 000013
【図１２】
2004054407.tif 000014